【手続補正書】
【提出日】令和3年10月28日(2021.10.28)
【手続補正１】
【補正対象書類名】特許請求の範囲
【補正対象項目名】全文
【補正方法】変更
【補正の内容】
【特許請求の範囲】
【請求項１】
入力デジタルデータを受信することと；
複数のシンボル波形を使用して前記入力デジタルデータを符号化することであって、前記複数のシンボル波形のそれぞれは、合成符号化波形の一周期を占有し、前記入力デジタルデータのビットを表し、前記複数のシンボル波形の各シンボル波形は第１の楕円弧及び前記第１の楕円弧の極性に対して反対極性の第２の楕円弧を有し、各シンボル波形は、（ｉ）前記第１の楕円弧から前記第２の楕円弧への零交差が前記複数のシンボル波形の波形毎に異なり、（ｉｉ）前記シンボル波形の前記第１の楕円弧のエネルギーが前記シンボル波形の前記第２の楕円弧のエネルギーにほぼ等しくなるように定義される、符号化することと；
前記合成符号化波形の表現から符号化アナログ波形を生成することと、を含むデータ通信方法。
【請求項２】
前記複数のシンボル波形の前記デジタル表現をメモリ内に格納することと；
前記入力デジタルデータを受信すると前記メモリから前記デジタル表現のうちの１つを読み出すことと、をさらに含む、請求項１に記載の方法。
【請求項３】
前記第１の楕円弧は正楕円弧であり、前記第２の楕円弧は負楕円弧である、請求項１に記載の方法。
【請求項４】
各シンボル波形の前記正楕円弧のエネルギーは異なる、請求項３に記載の方法。
【請求項５】
各シンボル波形の前記負楕円弧のエネルギーは異なる、請求項４に記載の方法。
【請求項６】
各シンボル波形の周期は等しい、請求項１に記載の方法。
【請求項７】
前記入力デジタルデータは、少なくとも４ビットの複数のデータワードを含み、前記複数のシンボル波形はそれぞれ前記複数のデータワードに対応する、請求項１に記載の方法。
【請求項８】
複数のシンボル波形により符号化された入力デジタルデータを回復する方法であって、前記複数のシンボル波形のそれぞれは、符号化された合成波形の一周期を占有し、ほぼ等しいエネルギーの第１の楕円弧と第２の楕円弧とを含む、方法において、
前記複数のシンボル波形を使用して生成された符号化アナログ波形を受信することと；
前記複数のシンボル波形を表すデジタルシンボルサンプルを生成することと；
第１の極性から第２の極性への前記デジタルシンボルサンプルの極性の遷移に対応する前記デジタルシンボルサンプルの第１のサンプルを識別することと；
前記第２の極性のデジタル信号サンプルの他のものから前記第１の極性の前記デジタル信号サンプルの他のものへの遷移に対応する前記デジタル信号サンプルの第２のサンプルを判断することであって、前記デジタルサンプルの前記第２のサンプルは、前記複数のシンボル波形のうちの１つのシンボル波形の前記第１の楕円弧から前記複数のシンボル波形のうちの前記１つのシンボル波形の前記第２の楕円弧への遷移を定義する、判断することと；
前記第１のサンプル及び前記第２のサンプルに基づき入力デジタルデータを推定することと、を含む方法。
【請求項９】
前記推定することは、前記第１のサンプル及び前記第２のサンプルに基づき零交差値を判断することを含み、前記零交差値は複数の零交差値に含まれ、前記複数の零交差値のそれぞれは、前記入力デジタルデータ内に含まれる複数のデジタルデータワードのうちの異なるデジタルデータワードに対応する、請求項８に記載の方法。
【請求項１０】
前記推定することは前記第１のサンプルと前記第２のサンプルとの間のサンプルの数を判断することを含む、請求項８に記載の方法。
【請求項１１】
入力デジタルデータを格納するように構成された入力バッファと；
複数のシンボル波形を使用して前記入力デジタルデータを符号化するための時間領域変調器であって、前記複数のシンボル波形のそれぞれは、合成符号化波形の一周期を占有し、前記入力デジタルデータのビットを表し、前記複数のシンボル波形の各シンボル波形は正楕円弧及び負楕円弧を有し、前記時間領域変調器は、（ｉ）前記シンボル波形の前記正楕円弧から前記負楕円弧への零交差が前記複数のシンボル波形の波形毎に異なり、（ｉｉ）前記シンボル波形の前記正楕円弧のエネルギーが前記シンボル波形の前記負楕円弧のエネルギーにほぼ等しくなるように、各シンボル波形を定義する、時間領域変調器と；
前記合成符号化波形のデジタル表現から符号化アナログ波形を生成するための１つ又は複数のデジタル／アナログ変換器と、を含むシステム。
【請求項１２】
前記複数のシンボル波形のデジタル表現を格納するためのメモリをさらに含む請求項１１に記載のシステムであって、前記時間領域変調器は、前記入力バッファ内に格納された前記入力デジタルデータに対応するビットを受信すると前記メモリから前記デジタル表現のうちの１つを読み出すように構成される、システム。
【請求項１３】
前記複数のシンボル波形のうちのいくつかのシンボル波形の前記正楕円弧及び前記負楕円弧は形状が楕円である、請求項１１に記載のシステム。
【請求項１４】
各シンボル波形の前記正楕円弧の前記エネルギーは異なる、請求項１１に記載のシステム。
【請求項１５】
各シンボル波形の前記負楕円弧の前記エネルギーは異なる、請求項１４に記載のシステム。
【請求項１６】
各シンボル波形の周期は等しい、請求項１１に記載のシステム。
【請求項１７】
前記入力デジタルデータは少なくとも４ビットの複数のデータワードを含み、前記複数のシンボル波形はそれぞれ前記複数のデータワードに対応する、請求項１１に記載のシステム。
【請求項１８】
入力デジタルデータを受信することと；
複数のシンボル波形を使用して前記入力デジタルデータを符号化することであって、前記複数のシンボル波形のそれぞれは、合成符号化波形の一周期を占有し、前記入力デジタルデータのビットを表し、前記複数のシンボル波形の各シンボル波形は正楕円弧及び負楕円弧を有し、各シンボル波形は、（ｉ）前記シンボル波形の前記正楕円弧から前記負楕円弧への零交差が前記複数のシンボル波形の波形毎に異なり、（ｉｉ）前記シンボル波形の前記正楕円弧のエネルギーが前記シンボル波形の前記負楕円弧のエネルギーにほぼ等しくなるように定義される、符号化することと；
デジタル／アナログ変換器を使用して前記合成符号化波形のデジタル表現から符号化アナログ波形を生成することと、を含むデータ通信方法。
【請求項１９】
複数のシンボル波形により符号化された入力デジタルデータを回復する方法であって、前記複数のシンボル波形のそれぞれは、符号化された合成波形の一周期を占有し、ほぼ等しいエネルギーの正楕円弧と負楕円弧とを含む、方法において、
前記複数のシンボル波形を使用して生成された符号化アナログ波形を受信することと；
前記複数のシンボル波形を表すデジタルシンボルサンプルを生成することと；
負値を有するデジタル信号サンプルのいくつかから正値を有する前記デジタル信号サンプルのいくつかへの遷移に対応する前記デジタルシンボルサンプルの第１のサンプルを識別することと；
正値を有する前記デジタル信号サンプルの他のいくつかから負値を有する前記デジタル信号サンプルの他のいくつかへの遷移に対応する前記デジタル信号サンプルの第２のサンプルを判断することであって、前記デジタルサンプルの前記第２のデジタルサンプルは、前記複数のシンボル波形のうちの１つのシンボル波形の前記正楕円弧から前記複数のシンボル波形のうちの前記１つのシンボル波形の前記負楕円弧への遷移を定義する、判断することと；
前記第１のサンプル及び前記第２のサンプルに基づき入力デジタルデータを推定することと、を含む方法。